(57)【要約】【課題】ビス締結の方法に頼ることなく２つのキャビネットを簡単かつ確実に結合する。【解決手段】合わせ面８で互いに結合される第１キャビネット３及び第２キャビネット４内に充電池が収容される携帯電話機１において、合わせ面８における充電池の側面に互いに当接する突起部１１，１２をそれぞれ複数形成し、突き合わされた一対の突起部１１，１２の外周をこれら一対の突起部１１，１２外周を囲む開口１４ａを有するクリップ部材１４でそれぞれ挟持する。【選択図】図１
2014204335.tif 000002
【特許請求の範囲】
【請求項１】
合わせ面で互いに結合される第１及び第２キャビネットと、該第１及び第２キャビネット内に収容される電子部品とを備えた電子機器において、
上記第１及び第２キャビネットの上記合わせ面における上記電子部品の側面には、互いに当接する突起部がそれぞれ複数形成され、突き合わされた一対の突起部の外周が該一対の突起部外周を囲む開口を有するクリップ部材でそれぞれ挟持されている
ことを特徴とする電子機器。
【請求項２】
請求項１に記載の電子機器において、
上記突起部と上記電子部品の側面との間には、電子部品側へ液体が浸入するのを防止する防水パッキンが配置されている
ことを特徴とする電子機器。
【請求項３】
請求項１又は２に記載の電子機器において、
上記第１及び第２キャビネットの突起部は、いずれも上記合わせ面に沿って延び、該一対の突起部の周囲には、クリップ用凹部が形成され、該クリップ用凹部に上記クリップ部材が嵌め込まれている
ことを特徴とする電子機器。
【請求項４】
請求項１から３までのいずれか１つに記載の電子機器において、
上記クリップ部材は、上記一対の突起部から抜け止めするための抜け止め部を備え、
上記抜け止め部は、上記開口に連続して形成され、上記突起部に設けた抜け止め用突起に係合する切欠である
ことを特徴とする電子機器。
【請求項５】
請求項１から４までのいずれか１つに記載の電子機器において、
上記クリップ部材は、上記一対の突起部から抜け止めするための抜け止め部を備え、
上記抜け止め部は、上記開口内へ突出するバネ性を有する少なくとも一対の突部である
ことを特徴とする電子機器。
【請求項６】
請求項１から５までのいずれか１つに記載の電子機器において、
上記クリップ部材は、上記一対の突起部から抜け止めするための抜け止め部を備え、
上記抜け止め部は、上記突起部の外周に設けた段部の傾斜面に沿うように折り曲げられた折曲部であり、
上記傾斜面は、上記クリップ部材の抜け方向に対して逆勾配となっている
ことを特徴とする電子機器。
【請求項７】
請求項１から６までのいずれか１つに記載の電子機器において、
上記クリップ部材は、上記一対の突起部から抜け止めするための抜け止め部を備え、
上記抜け止め部は、上記クリップ用凹部に形成した穴部に挿入される、上記クリップ部材から延びる脚部である
ことを特徴とする電子機器。
【請求項８】
請求項１から７までのいずれか１つに記載の電子機器において、
上記一対のキャビネットは、一方に長い矩形状であり、
上記電子部品は、上記一対のキャビネットの長手方向に沿って配置される一方に長い矩形状であり、
上記電子部品の幅方向側面にクリップ部材が配置され、
上記電子部品のない上記一対のキャビネットの長手方向両端部は、ビスによって締結されている
ことを特徴とする電子機器。
【請求項９】
請求項８に記載の電子機器において、
上記クリップ部材は、少なくとも上記電子部品を覆う電子部品カバーによって覆われていることを特徴とする電子機器。
【発明の詳細な説明】
【技術分野】
【０００１】
本発明は、合わせ面で互いに結合される第１及び第２キャビネットと、これら第１及び第２キャビネット内に収容される電子部品とを備えた電子機器に関し、特にその第１及び第２キャビネットの固定構造に関するものである。
【背景技術】
【０００２】
この種の電子機器において、例えば、特許文献１のように、２つのハウジングシェルを、それぞれに設けた保持エレメント及びフックエレメントによって結合することが知られている。
【先行技術文献】
【特許文献】
【０００３】
【特許文献１】特表２００３−５０２８８６号公報
【発明の概要】
【発明が解決しようとする課題】
【０００４】
しかしながら、従来の電子機器では、２つのキャビネットを固定することはできたとしても、係合爪を引っかけているだけの構造であるため、２つのキャビネット間で十分な密閉度を得ることができない。このため、防水性、防塵性、耐久性等の面で問題がある。
【０００５】
このため、一般的には、２つのキャビネットをビスで締結する構造が取られている。
【０００６】
しかしながら、近年、携帯電話機のように携帯する電子機器では、できるだけ電子部品である充電池の容量を大きくしたいというニーズがある。この場合、ビスで締結する構造では、２つのキャビネットにビス挿通用の貫通孔や、ビスを固定するためのナットが埋め込まれたボス部を設ける必要があり、このボス部等のスペースが充電池の大型化を阻害するという問題がある。
【０００７】
本発明は、かかる点に鑑みてなされたものであり、その目的とするところは、ビス締結の方法に頼ることなく２つのキャビネットを確実に結合することにある。
【課題を解決するための手段】
【０００８】
上記の目的を達成するために、この発明では、第１及び第２キャビネットの合わせ面にそれぞれ設けた突起部の外周をクリップ部材で挟持するようにした。
【０００９】
具体的には、第１の発明では、合わせ面で互いに結合される第１及び第２キャビネットと、該第１及び第２キャビネット内に収容される電子部品とを備えた電子機器を前提とする。
【００１０】
そして、上記第１及び第２キャビネットの上記合わせ面における上記電子部品の側面には、互いに当接する突起部がそれぞれ複数形成され、突き合わされた一対の突起部の外周が該一対の突起部外周を囲む開口を有するクリップ部材でそれぞれ挟持されている。
【００１１】
上記の構成によると、電子部品の側面の固定を従来のようなビス止めで行わず、第１及び第２キャビネットの合わせ面に設けた突起部を挟持するクリップ部材で行うようにしたので、ボス部を設ける必要がなく、電子部品のサイズを突起部の近傍まで広げることができる。またネジ締結に比べてクリップ部材を嵌め込むだけなので、組付作業がきわめて容易である。
【発明の効果】
【００１２】
以上説明したように、本発明によれば、第１及び第２キャビネットの合わせ面における電子部品の側面に互いに当接する突起部をそれぞれ複数形成し、突き合わされた一対の突起部の外周をクリップ部材でそれぞれ挟持しているので、ビス締結の方法に頼ることなく２つのキャビネットを簡単かつ確実に結合することができる。
【図面の簡単な説明】
【００１３】
【図１】本発明の実施形態のクリップ部材及びその周辺を拡大して示す斜視図である。
【図２】携帯電話機の要部を示し、（ａ）が正面側から見た斜視図であり、（ｂ）が背面側から見た斜視図である。
【図３】携帯電話機を示す分解斜視図である。
【図４】携帯電話機を示す背面図である。
【図５】図１のＶ−Ｖ線拡大断面図である。
【図６】図１のVI−VI線拡大断面図である。
【図７】クリップ部材を拡大して示す斜視図である。
【図８】実施形態の変形例１に係るクリップ部材及びその周辺を拡大して示す斜視図である。
【図９】図８のIX−IX線拡大断面図である。
【図１０】実施形態の変形例２に係るクリップ部材及びその周辺を拡大して示す斜視図である。
【図１１】図１０のXI−XI線拡大断面図である。
【図１２】実施形態の変形例３に係るクリップ部材及びその周辺を拡大して示す斜視図である。
【図１３】図１２のXIII−XIII線拡大断面図である。
【発明を実施するための形態】
【００１４】
以下、本発明の実施形態を図面に基づいて説明する。
【００１５】
図２は、本発明の実施形態に係る電子機器としての携帯電話機１の要部を示し、（ａ）が正面側から見た斜視図であり、（ｂ）が背面側から見た斜視図である。図３は、その携帯電話機１を示す分解斜視図である。図４は、携帯電話機１を示す背面図であり、図５は、図１のＶ−Ｖ線拡大断面図であり、図６は、図１のVI−VI線拡大断面図である。この携帯電話機１は、正面側に例えばタッチパネルを含む液晶表示部２が嵌め込まれる第１キャビネット３を備えている。この第１キャビネット３の背面側には、第２キャビネット４が結合されている。これら第１キャビネット３と第２キャビネット４とを結合した状態で、第２キャビネット４の背面側が電子部品カバーとしての充電池カバー５（図５及び図６に２点鎖線で示す）で覆われている。
【００１６】
第１キャビネット３と第２キャビネット４との間には、電子部品としての充電池６が収容されている。充電池６の背面側に携帯電話機１を制御するメイン基板７が配置されている。このように液晶表示部２とメイン基板７との間の携帯電話機１の厚さ方向中央部に充電池６を配置することで、第２キャビネット４が丸みを帯びた断面を有していても、充電池６をできるだけ左右外側まで延ばしてその容量を確保することができるようになっている。
【００１７】
図３に示すように、第１キャビネット３の上下端部には、複数のボス部３ａが設けられている。このボス部３ａに対応させて第２キャビネット４には複数のビス挿通孔４ａが設けられている。このビス挿通孔４ａにビス１０を通してボス部３ａに締結することで、第１キャビネット３と第２キャビネット４とが合わせ面８で結合されている。なお、充電池６の背面は防水シート１５が密閉状に貼り付けられて防水されている。
【００１８】
一方、携帯電話機１の上下中間の充電池６の側方には、ボス部３ａ及びビス挿通孔４ａが設けられていない。その代わりに充電池６の左右側面に対応する第１キャビネット３の左右周縁には、上下に間隔を空けて第１突起部１１が例えば合計４つ設けられている。この第１突起部１１に対応させて第２キャビネット４の左右周縁にも上下に間隔を空けて第２突起部１２が４つ設けられている。
【００１９】
図１にクリップ部材１４及びその周辺を拡大して示すように、互いに第１突起部１１と第２突起部１２とを当接させた状態で、これら第１突起部１１及び第２突起部１２の周りには、矩形枠状のクリップ用凹部１３が形成されている。そして、突き合わされた一対の突起部１１，１２の外周が、これら一対の突起部１１，１２外周を囲む開口１４ａを有するクリップ部材１４でそれぞれ挟持されている。クリップ部材１４は、例えば０．３ｍｍのステンレス製バネ材よりなる。この状態でクリップ部材１４は、クリップ用凹部１３に嵌め込まれている。このため、クリップ部材１４が出っ張らない上に外れにくくなっている。
【００２０】
そして、図５及び図６に示すように、４つのクリップ部材１４は、充電池６を覆う充電池カバー５によって覆われている。このため、見映えがよい上に携帯時にクリップ部材１４が意図せず外れるのが防止されている。
【００２１】
図７は、クリップ部材１４を拡大して示す斜視図である。クリップ部材１４は、矩形状の開口１４ａが設けられたクリップ本体１４ｂと、このクリップ本体１４ｂから断面Ｌ字状に延びる折曲部１４ｃとを有する。図５及び図６に示すように、折曲部１４ｃの底面１４ｄは、第１突起部１１の上面に設けた段部１１ａの傾斜面に沿うように折り曲げられている。この底面１４ｄの傾斜面は、クリップ部材１４の抜け方向（図５の左方向）に対して（左方に向かって上方に傾斜する）逆勾配となっている。このため、クリップ部材１４を外す場合には、折曲部１４ｃを上方に持ち上げないと抜き出すことができず、底面１４ｄの傾斜面は、抜け止め部としての役割を果たしている。
【００２２】
さらに、開口１４ａの上側には、切欠１４ｅが連続して形成されている。この切欠１４ｅは、第１突起部１１に設けた抜け止め用突起１１ｂに係合する、さらなる抜け止め部となっている。つまり、抜け止め用突起１１ｂが切欠１４ｅに引っかかることで、クリップ部材１４がさらに抜けにくくなっている。
【００２３】
折曲部１４ｃの先端には、さらに図５の上方に折り曲げられた当接部１４ｆが形成されている。この当接部１４ｆを設けることで曲げ剛性が向上し、また、当接部１４ｆがクリップ用凹部１３の左右内側側面に当接することにより、第１突起部１１と第２突起部１２とが開こうとしたときに、クリップ部材１４が押し上げられるのを防ぐようになっている。
【００２４】
さらに、クリップ部材１４の下側には一対の脚部１４ｇが延びている。この脚部１４ｇは、クリップ用凹部１３に形成した一対の穴部１３ａに挿入される抜け止め部の役割を果たしている。この脚部１４ｇが穴部１３ａに挿入されることにより、クリップ部材１４が左右外側へ抜けにくくなっている。
【００２５】
そして、図５及び図６に示すように、一対の突起部１１，１２と充電池６の左右側面６ａとの間には、充電池６側へ液体が浸入するのを防止する防水パッキン９が配置されている。クリップ部材１４で挟持された部分のすぐ近くに防水パッキン９が設けられているので、防水性が確保されている。
【００２６】
なお、図６に示すように、第１突起部１１の背面に延びる係合部１１ｃと第２突起部１２の正面側に延びる係合部１２ａとを係合させることで、左右方向に第１キャビネット３と第２キャビネット４とがずれないようにしてもよい。
【００２７】
このように、本実施形態では、充電池６の側面６ａの固定を従来のようなビス止めで行わず、第１キャビネット３及び第２キャビネット４の合わせ面８に設けた突起部１１，１２を挟持するクリップ部材１４で行うようにしたので、組付作業性が格段に向上すると共に、充電池６の側面６ａの近傍にボス部３ａを設ける必要がなく、充電池６のサイズを突起部１１，１２の近傍まで広げることができる。
【００２８】
したがって、本実施形態に係る携帯電話機１によると、ビス締結の方法に頼ることなく２つのキャビネット３，４を簡単かつ確実に結合することができる。
【００２９】
−実施形態の変形例１−
図８は、実施形態の変形例１に係るクリップ部材１４'及びその周辺を拡大して示す斜視図であり、図９は、図８のIX−IX線拡大断面図である。クリップ部材１４'及びその周縁の構成が異なる点で上記実施形態と異なる。なお、以下の各変形例では、図１〜図７と同じ部分については同じ符号を付してその詳細な説明は省略する。
【００３０】
すなわち、上記実施形態では、クリップ部材１４は、脚部１４ｇを有し、その底面１４ｄに逆勾配を設けるようにしたが、本変形例では、クリップ部材１４'には、脚部や逆勾配を設けていない。一方、抜け止め用突起１１ｂ'の高さを上記実施形態のものよりも高くして抜け止め効果を向上させている。抜け止め用突起１１ｂ'の左右外側に傾斜を設ければ、クリップ部材１４'の挿入はしやすくなる。本変形例でもクリップ部材１４'は、確実に抜け止めされながら、ビス締結の方法に頼ることなく２つのキャビネット３，４を簡単かつ確実に結合することができる。
【００３１】
−実施形態の変形例２−
図１０は、実施形態の変形例２に係るクリップ部材１４''及びその周辺を拡大して示す斜視図であり、図１１は、図１０のXI−XI線拡大断面図である。クリップ部材１４''及びその周縁の構成が異なる点で上記実施形態と異なる。
【００３２】
すなわち、上記実施形態では、クリップ部材１４は、折曲部１４ｃ、当接部１４ｆ、切欠１４ｅ、脚部１４ｇを有しているが、本変形例では、クリップ部材１４''には、折曲部、当接部、切欠、脚部を設けていない。一方、開口１４ａにおいて、携帯電話機１の上下方向に延びるバネ性の一対の突起１４ｈ''を設けて第１突起部１１及び第２突起部１２の側面を押さえつけて抜け止め効果を向上させている。本変形例でもクリップ部材１４''は、確実に抜け止めされながら、ビス締結の方法に頼ることなく２つのキャビネット３，４を簡単かつ確実に結合することができる。
【００３３】
−実施形態の変形例３−
図１２は、実施形態の変形例３に係るクリップ部材１４'''及びその周辺を拡大して示す斜視図であり、図１３は、図１２のXIII−XIII線拡大断面図である。クリップ部材１４'''及びその周縁の構成が異なる点で上記実施形態と異なる。
【００３４】
すなわち、上記実施形態では、クリップ部材１４は、切欠１４ｅ、当接部１４ｆ、一対の脚部１４ｇを有しているが、本変形例では、クリップ部材１４'''には、切欠、当接部を設けていない。一方、本変形例では、１本の脚部１４ｇ'''を図１２の下方に向かって右側へ折り曲げて設け、第１突起部１１側の折曲部１４ｃ'''の先端を下方に折り曲げている。これにより、折曲部１４ｃ'''の先端の抜け止め用突起１１ｂ'''に対する引っかけと、脚部１４ｇ'''の穴部１３ａ'''に対する差し込みにより、確実にクリップ部材１４'''の抜け止めが行われている。本変形例でもクリップ部材１４'''は、確実に抜け止めされながら、ビス締結の方法に頼ることなく２つのキャビネット３，４を簡単かつ確実に結合することができる。
【００３５】
（その他の実施形態）
本発明は、上記実施形態について、以下のような構成としてもよい。
【００３６】
すなわち、上記実施形態では、第１及び第２突起部１１，１２は、合計４つずつ設けたが、合計２つずつ以上あればその個数は限定されない。また、上記実施形態における上下一対のクリップ部材１４がつながったような長尺のものでもよい。
【００３７】
また、上記実施形態では、クリップ部材１４は、ステンレス製バネ材よりなるものとしたが、厚さを増やして剛性を確保すれば樹脂成形品で構成してもよい。
【００３８】
上記実施形態では、電子部品は、充電池６とし、電子部品カバーは、充電池６を覆う充電池カバー５としたが、これに限定されず、電子部品は、基板など水に弱く、一方向に長い部品でもよく、電子部品カバーは、その電子部品を覆うカバーであればよい。
【００３９】
上記実施形態では、電子機器は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等の携帯端末であってもよく、液晶ディスプレイ、液晶テレビ、ブルーレイ（ＤＶＤ）レコーダ等であってもよい。
【００４０】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００４１】
１      携帯電話機（電子機器）
２      液晶表示部 
３      第１キャビネット 
３ａ    ボス部 
４      第２キャビネット 
４ａ    ビス挿通孔 
５      充電池カバー 
６      充電池（電子部品） 
６ａ    左右側面 
７      メイン基板 
８      合わせ面 
９      防水パッキン 
１０      ビス 
１１      第１突起部 
１１ａ    段部 
１１ｂ、１１ｂ'、１１ｂ'''  抜け止め用突起 
１２      第２突起部 
１３      クリップ用凹部 
１３ａ、１３ａ'''    穴部 
１４、１４'、１４''、１４'''    クリップ部材 
１４ａ    開口 
１４ｂ    クリップ本体 
１４ｃ、１４ｃ'''  折曲部 
１４ｄ    底面 
１４ｅ    切欠 
１４ｆ    当接部 
１４ｇ、１４ｇ'''  脚部
１４ｈ''  突起
１５      防水シート 
【図１】
2014204335.tif 000003
【図２】
2014204335.tif 000004
【図３】
2014204335.tif 000005
【図４】
2014204335.tif 000006
【図５】
2014204335.tif 000007
【図６】
2014204335.tif 000008
【図７】
2014204335.tif 000009
【図８】
2014204335.tif 000010
【図９】
2014204335.tif 000011
【図１０】
2014204335.tif 000012
【図１１】
2014204335.tif 000013
【図１２】
2014204335.tif 000014
【図１３】
2014204335.tif 000015